(57)【特許請求の範囲】
【請求項１】
記録テープが巻き回されたリールと、
天板の周縁部から上側周壁が立設された上ケースと、底板の周縁部から下側周壁が立設された下ケースとが、前記上側周壁と下側周壁とを突き当てて接合されて構成され、前記リールの軸線方向に対向する前記天板と底板との間で、かつ前記上側周壁と下側周壁とで構成された周壁の内側に、前記リールが収容されたケースと、
少なくとも前記ケースの角隅部において前記リールを外周から覆うように、前記底板及び天板の少なくとも一方から立設された内壁と、
前記底板から前記下ケース内に突出され、該底板で開口する基準孔を覆う袋状の凸部と、
前記上ケースの天板に形成され、ドライブ装置への誤挿入防止用の凹部の底部となる低位部と、
円柱状のコイル部と該コイル部に接続されたコンデンサ部とを含む棒状に形成され、前記周壁における前記ケースの角隅部を成す２辺と前記内壁とで囲まれた空間で、前記リールの軸線方向から見て前記内壁に沿って長手となるように、かつ前記上側周壁と下側周壁との突き当て部に沿って配置されると共に、前記凸部と前記低位部とで前記リールの軸線方向に挟まれることで前記ケースに対し保持されているセキュリティタグと、
を備えた記録テープカートリッジ。
【請求項２】
前記セキュリティタグの長手方向の長さは、前記ケースにおける前記リールの軸線方向に沿った前記天板と底板との最大間隔よりも長い請求項１記載の記録テープカートリッジ。
【請求項３】
前記下ケース又は上ケースに設けられ、前記セキュリティタグを前記下ケース又は上ケースに保持する保持部をさらに備えた請求項１又は請求項２記載の記録テープカートリッジ。
【発明の詳細な説明】
【技術分野】
【０００１】
本発明は、ケースにセキュリティタグが内蔵された記録テープカートリッジに関する。
【背景技術】
【０００２】
円柱状に形成されたセキュリティタグを保持したホルダを、セキュリティタグの軸線方向がリールの軸線方向と平行になるように、ケース本体の底板、天板、側板、及び区画板に当接させることで、ケース本体に対し保持させたテープカートリッジが知られている（例えば、特許文献１参照）。
【先行技術文献】
【特許文献】
【０００３】
【特許文献１】特開２００９−１２９５３１号公報
【発明の概要】
【発明が解決しようとする課題】
【０００４】
しかしながら、上記した技術では、ケースに内蔵することができるセキュリティタグが小型のものに限られ、通信性能の向上の観点からは改善の余地があった。
【０００５】
本発明は、ケースに内蔵するセキュリティタグの長さに対する制約を少なくすることができる記録テープカートリッジを得ることが目的である。
【課題を解決するための手段】
【０００６】
請求項１記載の発明に係る記録テープカートリッジは、記録テープが巻き回されたリールと、天板の周縁部から上側周壁が立設された上ケースと、底板の周縁部から下側周壁が立設された下ケースとが、前記上側周壁と下側周壁とを突き当てて接合されて構成され、前記リールの軸線方向に対向する前記天板と前記底板との間で、かつ前記上側周壁と下側周壁とで構成された周壁の内側に、前記リールが収容されたケースと、少なくとも前記ケースの角隅部において前記リールを外周から覆うように、前記底板及び天板の少なくとも一方から立設された内壁と、前記底板から前記下ケース内に突出され、該底板で開口する基準孔を覆う袋状の凸部と、前記上ケースの天板に形成され、ドライブ装置への誤挿入防止用の凹部の底部となる低位部と、円柱状のコイル部と該コイル部に接続されたコンデンサ部とを含む棒状に形成され、前記周壁における前記ケースの角隅部を成す２辺と前記内壁とで囲まれた空間で、前記リールの軸線方向から見て前記内壁に沿って長手となるように、かつ前記上側周壁と下側周壁との突き当て部に沿って配置されると共に、前記凸部と前記低位部とで前記リールの軸線方向に挟まれることで前記ケースに対し保持されているセキュリティタグと、を備えている。
【０００７】
請求項１記載の記録テープカートリッジでは、少なくともケースの角隅部において、リールは、周壁の内側に設けられた内壁によって外周側から覆われている。このケースの角隅部の空間は、リールの軸線方向から見て、周壁の２辺と内壁とで囲まれて略直角三角形状を成している。そして、この直角三角形の斜辺に相当する内壁に沿ってセキュリティタグが配置されているので、該セキュリティタグの配置スペースを長く取ることができる。このため、例えば周壁に沿ってセキュリティタグを配置する構成と比較して、長手方向に長いセキュリティタグを内蔵することができる。
【０００８】
このように、請求項１記載の記録テープカートリッジでは、ケースに内蔵するセキュリティタグの長さに対する制約を少なくすることができる。なお、請求項１におけるセキュリティタグが内壁に沿って長手となるように配置されるとは、例えばリールの軸線方向から見て内壁が湾曲等している構成において、該内壁を直線近似した場合に、該直線と略平行する方向（又は少なくとも周壁とは平行にならない方向）が長手方向となるようにセキュリティタグが配置される態様を含むものである。
【００１０】
また、本記録テープカートリッジでは、上ケースの上側周壁と下ケースの下側周壁との突き当て部に沿ってセキュリティタグが配置されている。このため、天板側や底板側に設けられたケースの構造部分等に干渉することなく、セキュリティタグを配置することができる。
【００１２】
また、本記録テープカートリッジでは、セキュリティタグは、底板から突出された凸部と天板との間で、上側周壁と下側周壁との突き当て部に沿って配置されている。これにより、凸部に干渉することなくセキュリティタグを配置することができる。換言すれば、平面視で凸部とラップする領域を含むスペースを有効利用して、長いセキュリティタグを配置することができる。
【００１４】
また、本記録テープカートリッジでは、セキュリティタグは、底板と天板の低位部との間で、上側周壁と下側周壁との突き当て部に沿って配置されている。これにより、低位部に干渉することなくセキュリティタグを配置することができる。換言すれば、平面視で低位部とラップする領域を含むスペースを有効利用して、長いセキュリティタグを配置することができる。
【００１８】
また、本記録テープカートリッジでは、上ケースと下ケースとでセキュリティタグを挟んで該セキュリティタグをケースに対し保持する。このため、別部品に頼ることなく、セキュリティタグをケースに保持させることができる。
【００１９】
請求項２記載の発明に係る記録テープカートリッジは、請求項１記載の記録テープカートリッジにおいて、前記セキュリティタグの長手方向の長さは、前記ケースにおける前記リールの軸線方向に沿った前記天板と底板との最大間隔よりも長い。
【００２０】
請求項２記載の記録テープカートリッジでは、セキュリティタグを内壁に沿って配置する構造とすることで、天板と底板との最大間隔よりも長いセキュリティタグを内蔵することができる。
請求項３記載の発明に係る記録テープカートリッジは、請求項１又は請求項２記載の記録テープカートリッジにおいて、前記下ケース又は上ケースに設けられ、前記セキュリティタグを前記下ケース又は上ケースに保持する保持部をさらに備えた。
【発明の効果】
【００２１】
以上説明したように本発明に係る記録テープカートリッジは、ケースに内蔵するセキュリティタグの長さに対する制約を少なくすることができるという優れた効果を有する。
【図面の簡単な説明】
【００２２】
【図１】本発明の第１の実施形態に係る記録テープカートリッジの要部を示す斜視図である。
【図２】本発明の第１の実施形態に係る記録テープカートリッジの要部を示す図であって、（Ａ）は平面図、（Ｂ）は図２（Ａ）の２Ｂ−２Ｂ線に沿った断面図である。
【図３】本発明の第１の実施形態に係る記録テープカートリッジの外観を示す斜視図である。
【図４】本発明の第１の実施形態に係る記録テープカートリッジの上側から見た分解斜視図である。
【図５】本発明の第１の実施形態に係る記録テープカートリッジの下側から見た分解斜視図である。
【図６】本発明の第１の実施形態に係る記録テープカートリッジの要部構造を示す図であって、（Ａ）は下ケース単体の要部を示す斜視図、（Ｂ）は上ケース単体の要部を示す斜視図である。
【図７】本発明の第２の実施形態に係る記録テープカートリッジの要部を示す斜視図である。
【図８】本発明の第２の実施形態に係る記録テープカートリッジの要部を示す平面図である。
【図９】本発明の第３の実施形態に係る記録テープカートリッジの要部を示す斜視図である。
【図１０】本発明の第３の実施形態に係る記録テープカートリッジを構成する保持部材を示す斜視図である。
【発明を実施するための形態】
【００２３】
本明細書において「第３の実施形態」とあるのは、「参考例」と読み替えるものとする。
本発明の第１の実施形態に係る記録テープカートリッジ１０について、図１〜図９に基づいて説明する。先ず、記録テープカートリッジ１０の全体構成を説明し、次いで、記録テープカートリッジ１０に内蔵されるセキュリティタグ７０のケース内蔵構造について説明することとする。なお、以下の説明では、便宜上、各図に適宜示す矢印Ｕ方向を上方向、矢印Ｆ方向を前方向（ドライブ装置への装填方向）、矢印Ｒ方向を右方向、矢印Ｌ方向を左方向とするが、これらの方向は記録テープカートリッジ１０の姿勢を限定するものではない。
【００２４】
図３には、記録テープカートリッジ１０の外観が斜視図にて示されている。また、図４には、記録テープカートリッジ１０の上方から見た分解斜視図が示されており、図５には、記録テープカートリッジ１０の下方から見た分解斜視図が示されている。これらの図に示される如く、記録テープカートリッジ１０は、ケース１２を備えている。ケース１２は、下向きに開口する樹脂製の上ケース１４と上向きに開口する樹脂製の下ケース１６とを、互いの開口端を突き合わせて接合することで構成されている。この実施形態では、ケース１２は、平面視で略矩形状（正方形状）を成すと共に上下方向に薄い扁平ケースとして構成されている。
【００２５】
具体的には、上ケース１４は、平面視で略矩形状の天板１４Ａの周縁部から上側周壁としての外周壁１４Ｂが下向きに立設されて成り、下ケース１６は、平面視で略矩形状の底板１６Ａの周縁部から下側周壁としての外周壁１６Ｂが上向きに立設されて成り、外周壁１４Ｂと外周壁１６Ｂとの開口端が突き当てられた状態で上ケース１４と下ケース１６とが接合されることで、ケース１２が構成されている。この実施形態では、上ケース１４の天板１４Ａ、下ケース１６の底板１６Ａから突出されたビスボス１５同士を突き当て、下側のビスボス１５内に頭部が収容されたビス（図示省略）のねじ部が上側のビスボス１５にねじ込まれることで、上ケース１４と下ケース１６とが接合されている。
【００２６】
したがって、ケース１２は、外周壁１４Ｂと外周壁１６Ｂとで、天板１４Ａの周縁部と底板１６Ａの周縁部とをつなぐ周壁が形成されている。この外周壁１４Ｂと外周壁１６Ｂとの突き当て部分、すなわち境界部はパーティングラインＰＬ（図３参照）とされている。なお、パーティングラインＰＬは、図２（Ｂ）に示される如く、上下のビスボス１５、リールエリアリブ３２（後述）の境界部ともされている。
【００２７】
このケース１２内には、記録テープとしての磁気テープＴが巻き回された単一のリール２０が回転可能に収容されている。リール２０に巻き回された磁気テープＴは、図示しないドライブ装置内において、ケース１２の右側壁１２Ｒにおける前端側に形成された開口１８を通じてケース１２の外側に引き出されるようになっており、このようにケース１２から引き出された磁気テープＴに対して情報の読み書きが行われるようになっている。
【００２８】
また、ケース１２の底板１６Ａの外面における前端側（開口１８の設置側）には、一対の基準孔１７Ａ、１９Ａ（図４参照）が開口している。一対の基準孔１７Ａ、１９Ａは、底板１６Ａからケース１２内方に立設された凸部としての袋状突部１７、１９（図５参照）内に設けられ、ドライブ装置への装填方向（矢印Ｆ方向）に直交する仮想線上で互いに離間して配置されている。そして、開口１８に近い側の基準孔１７Ａは、ドライブ装置の位置決めピンに外接する底面視略正方形状とされ、他方の基準孔１９Ａは、上記仮想線に沿って長手でかつ幅が位置決めピンの直径に対応する長孔とされている。
【００２９】
これにより、記録テープカートリッジ１０がドライブ装置に装填されて基準孔１７Ａ、１９Ａにそれぞれ位置決めピンが挿入されると、該記録テープカートリッジ１０がドライブ装置内で水平方向（左右及び前後）に正確に位置決めされるようになっている。
【００３０】
さらに、ケース１２の前端部であって開口１８側とは反対の左側の角隅部１２ＦＬには、天板１４Ａが他の部分よりも一段低くされた凹部としてのノッチ部１２Ｎが形成されている。ノッチ部１２Ｎは、記録テープカートリッジ１０のドライブ装置への誤挿入を禁止するための判別部として機能する構成とされている。このノッチ部１２Ｎの底部を成す天板１４Ａの部分は低位部１４ＡＮとされている。
【００３１】
また、磁気テープＴの先端には、ドライブ装置により磁気テープＴを引き出す際に操作（保持）されるリーダ部材としてのリーダピン２２が取り付けられている。リーダピン２２は、その両端に形成されると共に磁気テープＴの幅方向端部から突出されたフランジ２２Ａが、ケース１２における開口１８に臨む位置に設けられたピン受け凹部２４に入り込まされることで、該ケース１２に対し所定の位置で保持されるようになっている。また、ケース１２には、フランジ２２Ａをピン受け凹部２４の凹壁に押し付けることで、ケース１２に対するリーダピン２２の姿勢を保持するためのスプリング２６が設けられている。このリーダピン２２は、フランジ２２Ａと磁気テープＴとの間の細軸部分がドライブ装置の引き出し部材に引っ掛けられて、磁気テープＴと共にケース１２から引き出されるようになっている。
【００３２】
さらに、ケース１２の開口１８は、開閉部材としてのドア２８によって開閉されるようになっている。ドア２８は、外周壁１４Ｂと外周壁１６Ｂとで成る右側壁１２Ｒに沿って形成されたガイド溝２５にガイドされつつ前後方向にスライドすることで、開口１８を開閉する構成とされている。ドア２８は、ドアスプリング３０によって、開口１８を閉じる方向に付勢されている。
【００３３】
またさらに、ケース１２には、リール２０を径方向外側（外周側）から覆うにように設けられた立壁部である内壁としてのリールエリアリブ３２が立設されている。リールエリアリブ３２は、天板１４Ａ、底板１６Ａのそれぞれから立設された半体同士が接合されて構成され、リール２０が配置されるリール空間３４を囲む構成とされている。この実施形態では、リールエリアリブ３２は、周方向に部分的に複数立設されており、それぞれの周方向端部は内壁としての連結壁３６を介して外周壁１４Ｂ、外周壁１６Ｂに連結されている。なお、開口１８の近傍に位置するリールエリアリブ３２の周方向端部には、ガイド溝２５を形成するために連結壁３６は連結されず、強度確保のためにビスボス１５が一体化されている。
【００３４】
また、ケース１２の底板１６Ａの略中央部には、リール２０の軸心部を成すリールハブ３５の底部３５Ａに設けられたリールギヤ３８及び磁性金属製のリールプレート４０を露出させるためのリール開口４２が形成されている。ドライブ装置の図示しない回転シャフトは、マグネットによってリールプレート４０を吸着保持しつつ駆動ギヤをリールギヤ３８に噛み合わせて、リール２０を回転駆動するようになっている。
【００３５】
リール２０は、リールハブ３５の外周面に巻き回された磁気テープＴの幅方向のずれを規制する上下一対のフランジ４４、４６を有する。すなわち、フランジ４４、４６間に磁気テープＴが巻き回されている。さらに、リールハブ３５の円筒部内には、ケース１２に対するリール２０の回転をロック、ロック解除するためのロック機構４８が設けられている。
【００３６】
ロック機構４８は、リールハブ３５の底部３５Ａの上面側に設けられた上向きの係合ギヤ５０と、係合ギヤ５０に噛み合い可能な下向きの制動ギヤ５２Ａを有する制動部材５２と、制動部材５２のケース１２に対する回転を禁止する回転止め部５５と、制動ギヤ５２Ａが係合ギヤ５０に噛み合うように制動部材５２を下向きに付勢するロックスプリング５４と、ロックスプリング５４の付勢力に抗して制動部材５２を上方に押し上げるための解除操作部材５６とを主要部として構成されている。
【００３７】
回転止め部５５は、天板１４Ａから突出された十字リブ５８を制動部材５２の十字溝６０に上下方向に相対変位可能に挿入することで構成されている。解除操作部材５６は、底部３５Ａと制動部材５２との間に配置され、上方に移動することで制動部材５２を上側に移動させて制動ギヤ５２Ａの係合ギヤ５０への噛み合いすなわちリール２０の回転ロック状態を解除する構成とされている。
【００３８】
この実施形態では、解除操作部材５６は、平面視で略三角形状に形成された本体５６Ａの各頂部から垂下された脚部５６Ｂが底部３５Ａの貫通孔３５Ｂを貫通している。脚部５６Ｂは、リールギヤ３８の歯間に突出されており、該リールギヤ３８に噛み合う回転シャフトの駆動ギヤによって上方に押圧、移動されるようになっている。すなわち、ロック機構４８は、リールギヤ３８とドライブ装置側の駆動ギヤとの噛み合いに伴ってリール２０のケース１２に対する回転ロック状態が解除される構成とされている。解除操作部材５６は、リール２０と一体に回転し、その中央部に設けられた突起５６Ｃにおいて、ケース１２に対し回り止めされた制動部材５２の球面状の突起５２Ｂと低摩擦で摺接するようになっている。
【００３９】
また、記録テープカートリッジ１０は、磁気テープＴへの情報の書き込みを禁止するためのライトプロテクト部６２を備えている。ライトプロテクト部６２は、誤消去防止プラグ６４が、ユーザの操作によって、磁気テープＴへの情報の書き込みを許容する許容位置と、磁気テープＴへの情報の書き込みを禁止する禁止位置との間で移動可能に設けられて構成されている。この実施形態では、誤消去防止プラグ６４は、ケース１２の後左の角隅部１２ＢＬで、後壁１２Ｂに沿って移動することで、許容位置と禁止位置とをとり得る構成とされている。誤消去防止プラグ６４は、下ケース１６と上ケース１４とに跨って配置されており、下ケース１６内で後壁１２Ｂと略平行に設けられた下ガイド壁６８と、上ケース１４内で後壁１２Ｂと略平行に設けられた上ガイド壁６６とによってガイドされるようになっている。
【００４０】
（セキュリティタグの構成）
以上説明した記録テープカートリッジ１０には、該記録テープカートリッジ１０が所定のセキュリティエリアから搬出されるのを防止するために、セキュリティ機能が付加されている。このセキュリティ機能は、主にケース１２に内蔵されたセキュリティタグ７０によって果たされるようになっている。
【００４１】
セキュリティタグ７０は、図示は省略するが、軸線方向の両端部にフランジが形成された円柱状の磁性コアにおけるフランジ間に巻線を巻回して形成されたコイル部７０Ａと、コイル部７０Ａに接続されたコンデンサ部７０Ｂとを備え、全体として上記の軸線方向に長手の棒状（円柱状、角柱、円柱と角柱とが接続された如き形状等）に形成されている。
【００４２】
この実施形態では、セキュリティタグ７０は、円柱状のコイル部７０Ａに角柱状のコンデンサ部７０Ｂが軸方向に接続されて、全体として棒状に形成されている。そして、図２（Ｂ）に示される如く、セキュリティタグ７０の長手方向の全長Ｌは、ケース１２における天板１４Ａと底板１６Ａとの最大間隔Ｄに対し十分に大とされている。
【００４３】
このセキュリティタグ７０は、セキュリティエリアのゲート（図示省略）に設けられた発信アンテナ及び受信アンテナ（外部）と送受信可能に構成されている。そして、このセキュリティタグ７０が内蔵された記録テープカートリッジ１０が、セキュリティエリアの出入口に対向配置されたゲートを通過する際に、該ゲートに設けられた発信アンテナ及び受信アンテナと、セキュリティタグ７０との間で電波が送受信されて通信を行うようになっている。
【００４４】
（セキュリティタグの内蔵構成）
次に、上記したセキュリティタグ７０のケース１２への内蔵、保持構造を説明する。
【００４５】
図１及び図２に示される如く、セキュリティタグ７０は、ケース１２における前左の角隅部１２ＦＬ内に配置されている。角隅部１２ＦＬは、外周壁１４Ｂ、１６Ｂにおけるケース１２の前壁１２Ｆを構成する部分（以下、単に前壁１２Ｆという）及びケース１２の左側壁１２Ｌを構成する部分（以下、単に左側壁１２Ｌという）と、リールエリアリブ３２と、連結壁３６とで囲まれた空間とされている。すなわち、セキュリティタグ７０は、リール空間３４に対する外側の空間に配置されている。
【００４６】
そして、図２（Ａ）に示される如く、セキュリティタグ７０は、平面視で、角隅部１２ＦＬ内でリールエリアリブ３２に沿って配置されている。すなわち、セキュリティタグ７０は、上記の通り、主に前壁１２Ｆと左側壁１２Ｌとリールエリアリブ３２で囲まれた平面視で略直角三角形状の空間で、該直角三角形の斜辺に相当するリールエリアリブ３２に沿って配置されている。さらに換言すれば、セキュリティタグ７０は、リール２０の軸線方向から見て円弧形状のリールエリアリブ３２を直線近似したもの（上記直角三角形の斜辺）と略平行する方向（前壁１２Ｆ及び左側壁１２Ｌの何れとも平行にならない方向）が長手方向となるように配置されている。この実施形態では、セキュリティタグ７０は、角隅部１２ＦＬにおけるビスボス１５近傍から袋状突部１９に至る範囲に配置されている。
【００４７】
また、図２（Ａ）の２Ｂ−２Ｂ線に沿った概略断面図である図２（Ｂ）に示される如く、セキュリティタグ７０は、上ケース１４と下ケース１６とのパーティングラインＰＬに沿って配置されている。すなわち、セキュリティタグ７０は、パーティングラインＰＬの上下両側に跨るようにして、その上部が上ケース１４に収容されると共に下部が下ケース１６に収容されている。
【００４８】
この状態でセキュリティタグ７０は、上ケース１４の天板１４Ａと下ケース１６の底板１６Ａとの間で挟まれることで、ケース１２に対し保持されている。具体的には、図６（Ａ）に示される如く、底板１６Ａからは、保持リブ７２、７４が突設されている。保持リブ７２は、ビスボス１５に隣接（連続）して設けられ、セキュリティタグ７０のコンデンサ部７０Ｂを下方から支持するようになっている。保持リブ７４は、ビスボス１５と袋状突部１９との間に設けられ、セキュリティタグ７０のコイル部７０Ａを下方から支持するようになっている。
【００４９】
保持リブ７２は、角柱状のコンデンサ部７０Ｂに対応して、上面が略平坦面とされている。一方、保持リブ７４は、円柱状のコイル部７０Ａに対応して、上面が円弧面とされている。これにより、セキュリティタグ７０は、その長手方向（軸線）と直行する水平方向への移動が規制されるようになっている。また、コイル部７０Ａにおけるコンデンサ部７０Ｂ側と反対側の端部は、袋状突部１９によって下方から支持されている。
【００５０】
そして、セキュリティタグ７０は、下ケース１６側の保持リブ７２、保持リブ７４、及び袋状突部１９と、上ケース１４側の天板１４Ａにおける低位部１４ＡＮとで上下から挟み込まれることで、ケース１２に対し保持されている。
【００５１】
次に、本実施形態の作用について説明する。
【００５２】
上記構成の記録テープカートリッジ１０では、磁気テープＴに情報を書き込む際、又は磁気テープＴに書き込まれた情報を読み取る場合には、ドライブ装置に装填される。この装填動作に伴って開口１８が開放されると共に、リール２０のリールギヤ３８に回転シャフトの駆動ギヤが噛み合わされ、リール２０の回転ロックが解除される。ドライブ装置は、リーダピン２２を先頭に磁気テープＴを引き出して該リーダピン２２をドライブ装置側のリールにセットすると、該リールとリール２０と同期して回転駆動しながら、テープ経路中に設けられたヘッドによって磁気テープＴに対する情報の書き込み、読み出しを行う。
【００５３】
一方、磁気テープＴに対する情報の書き込み、読み出しの終了後は、リール２０を逆転して磁気テープＴをリール２０に巻き取り、次いでリーダピン２２をピン受け凹部２４に保持させる。記録テープカートリッジ１０は、ドライブ装置から排出される動作に伴って、リール２０のケース１２に対する回転が制動部材５２によってロックされると共に、開口１８がドア２８によって閉止される。
【００５４】
記録テープカートリッジ１０は、セキュリティエリアの出入口に対向配置されたゲートを通過する際に、該ゲートに設けられた発信アンテナ及び受信アンテナと、セキュリティタグ７０との間で電波が送受信される。これにより、記録テープカートリッジ１０がセキュリティエリアから搬出されることが検知されるようになっている。例えば、この検知によってセキュリティエリア（ゲート等）から警報音等が発生するようなシステムとすることで、記録テープカートリッジ１０の盗難や不用意な持ち出し（搬出）を心理的に防止することができる。
【００５５】
ここで、記録テープカートリッジ１０では、セキュリティタグ７０が、ケース１２における角隅部１２ＦＬでリールエリアリブ３２に沿って配置されている。すなわち、セキュリティタグ７０は、前壁１２Ｆ、左側壁１２Ｌ、及びリールエリアリブ３２に囲まれて平面視で直角三角形を成す角隅部１２ＦＬ内において、該直角三角形の斜辺に相当するリールエリアリブ３２に沿って配置されている。
【００５６】
このため、記録テープカートリッジ１０では、例えば前壁１２Ｆや左側壁１２Ｌに沿って配置されるものに比べて長いセキュリティタグ７０を内蔵することができる。特に、記録テープカートリッジ１０では、パーティングラインＰＬに沿ってセキュリティタグ７０が配置されているので、記録テープカートリッジ１０の機能上必要な袋状突部１９（基準孔１９Ａ）や低位部１４ＡＮ（ノッチ部１２Ｎ）に干渉することなくセキュリティタグ７０を配置する構成が実現された。換言すれば、記録テープカートリッジ１０では、平面氏で袋状突部１９及び低位部１４ＡＮのそれぞれにオーバラップする空間を有効利用して、長いセキュリティタグ７０を配置することができる。
【００５７】
これにより、記録テープカートリッジ１０は、全長Ｌの長いセキュリティタグ７０を内蔵することで、セキュリティタグ７０による通信可能距離の延長（通信性能の向上）が図られる。しかも、記録テープカートリッジ１０は、天板１４Ａと底板１６Ａとの最大間隔Ｄよりも長い全長Ｌのセキュリティタグ７０が内蔵されているので、リール２０の軸線方向と平行な方向に長手となるように配置されたセキュリティタグを内蔵するものに比べても、通信可能距離の延長（通信性能の向上）が図られる。
【００５８】
また、記録テープカートリッジ１０では、上ケース１４と下ケース１６とのパーティングラインＰＬにセキュリティタグ７０が配置される構造であるため、下ケース１６や上ケース１４の底（底板１６Ａや天板１４Ａ）側に配置される構成と比較して、セキュリティタグ７０の内蔵スペースが広い。すなわち、上ケース１４や下ケース１６は、樹脂の射出成形後の脱型のために外周壁１４Ｂ、１６Ｂ、リールエリアリブ３２には抜きテーパが設定されており、該外周壁１４Ｂ、１６Ｂ、リールエリアリブ３２は根元側よりも開口端側すなわちパーティングラインＰＬ側で壁厚が薄肉とされている。このため、上記の通りケース１２内における天板１４Ａ、底板１６Ａ側よりも広い空間にセキュリティタグ７０が配置され、これにより例えば、セキュリティタグ７０の径を拡大して通信性能を向上させることが可能になる。
【００５９】
さらに、記録テープカートリッジ１０では、上ケース１４と下ケース１６とのパーティングラインＰＬに沿ってセキュリティタグ７０が配置されているので、下ケース１６や上ケース１４の底（底板１６Ａや天板１４Ａ）まで深くセキュリティタグ７０を入り込ませる作業が不要となる。このため、記録テープカートリッジ１０は、セキュリティタグ７０の内蔵のための作業性が良好である。
【００６０】
またさらに、記録テープカートリッジ１０では、上ケース１４と下ケース１６とでセキュリティタグ７０を挟み込んで保持する構成であるため、部品点数を増すことなくセキュリティタグ７０をケース１２に対し確りと（ガタつきが生じないように）保持することができる。このため、セキュリティタグ７０によるケース１２外部との通信が安定する。また、保持部材によって角隅部１２ＦＬの空間を占有することがないので、長手方向又は径方向に長いセキュリティタグ７０を内蔵可能とされる。
【００６１】
次に、本発明の他の実施形態を説明する。なお、上記第１の実施又は前出の構成と基本的に同一の部品、部分については、上記第１の実施形態又は前出の構成と同一の符号を付して説明を省略する。
【００６２】
（第２の実施形態）
図７には、本発明の第２の実施形態に係る記録テープカートリッジ８０の要部が図１に対応する斜視図にて示されている。また、図８には、記録テープカートリッジ８０の要部が平面図にて示されている。これらの図に示される如く、記録テープカートリッジ８０は、セキュリティタグ７０を下ケース１６に保持させるための保持部８２が、該下ケース１６に設けられている点で、第１の実施形態に係る記録テープカートリッジ１０とは異なる。
【００６３】
保持部８２は、底板１６Ａから突設された基部８２Ａと、基部８２Ａの上端に形成されたホルダ部８２Ｂとを主要部として構成されている。基部８２Ａは、ビスボス１５と袋状突部１９との間に配置されている。ホルダ部８２Ｂは、１８０°を超える円弧状の板バネとして構成されており、基部８２Ａの幅方向両側に張り出した部分を含んでいる。この実施形態では、ホルダ部８２Ｂは、リールエリアリブ３２側に張り出した部分よりもリールエリアリブ３２とは反対側に張り出した部分の方が長く形成されている。
【００６４】
この保持部８２は、ホルダ部８２Ｂにおいて、セキュリティタグ７０のコイル部７０Ａを弾性的に把持する（弾性変形状態でセキュリティタグ７０の外周に１８０°を超える範囲で接触する）構成とされている。このホルダ部８２Ｂによる把持状態でセキュリティタグ７０がパーティングラインＰＬを跨ぐ配置とされるように、基部８２Ａの底板１６Ａに対する突出高さが設定されている。これにより、セキュリティタグ７０が袋状突部１９及び天板１４Ａの低位部１４ＡＮに干渉しない構成とされている。記録テープカートリッジ８０における他の部分は、図示しない部分も含め、記録テープカートリッジ１０における対応する部分と同様に構成されている。
【００６５】
したがって、第２の実施形態に係る記録テープカートリッジ８０によっても、基本的に第１の実施形態に係る記録テープカートリッジ１０と同様の作用によって同様の効果を得ることができる。また、記録テープカートリッジ８０では、保持部８２によってセキュリティタグ７０をより確りと保持することができる。このため、セキュリティタグ７０によるケース１２外部との通信が安定する。
【００６６】
なお、第２の実施形態では、保持部８２によってセキュリティタグ７０がケース１２に保持される例を示したが、本発明はこれに限定されず、例えば、保持部８２は記録テープカートリッジ８０の組み立て時におけるセキュリティタグ７０の仮保持部材として捉え、袋状突部１９（及び保持リブ７２、７４）と低位部１４ＡＮとで上下から挟み込むことでセキュリティタグ７０を保持する構成としても良く、これらの保持構造を共に備える構成としても良い。
【００６７】
また、第２の実施形態では、セキュリティタグ７０が下ケース１６に設けた保持部８２にて下ケース１６に保持される例を示したが、本発明はこれに限定されず、例えば、上ケース１４に保持部８２を設け、該上ケース１４にセキュリティタグ７０が保持されるようにしても良い。
【００６８】
（第３の実施形態）
図９には、本発明の第３の実施形態に係る記録テープカートリッジ９０の要部が斜視図にて示されている。この図に示される如く、記録テープカートリッジ９０は、セキュリティタグ７０を上ケース１４に保持させるための保持部材９２が設けられている点で、第１の実施形態に係る記録テープカートリッジ１０とは異なる。
【００６９】
保持部材９２は、上ケース１４のビスボス１５に嵌合により保持された嵌合部９２Ａと、嵌合部９２Ａの下端から張り出されコイル部７０Ａを下方から支持する支持部９２Ｂとが一体に形成されている。図１０に部品図にて示される如く、保持部材９２の支持部９２Ｂは、そのコイル部７０Ａ側の上面が該コイル部７０Ａの外周に対応した円弧面とされている。
【００７０】
保持部材９２は、嵌合部９２Ａにおいてビスボス１５の嵌合保持された状態で、支持部９２Ｂと低位部１４ＡＮとでコイル部７０Ａを上下から挟み込むことで、セキュリティタグ７０をケース１２に対し保持している。また、図示は省略するが、この保持状態では、支持部９２Ｂの下方に袋状突部１９が位置することとなる。
【００７１】
なお、セキュリティタグ７０を上ケース１４に組み付ける際には、上ケース１４の開口端を上向き（天板１４Ａを下向き）にしてセキュリティタグ７０、保持部材９２を上ケース１４に組み付けることとなる。記録テープカートリッジ９０における他の部分は、図示しない部分も含め、記録テープカートリッジ１０における対応する部分と同様に構成されている。
【００７２】
したがって、第３の実施形態に係る記録テープカートリッジ９０によっても、ケース１２がセキュリティタグ７０の保持構造を有することによる作用効果を除いて、基本的に第１の実施形態に係る記録テープカートリッジ１０と同様の作用によって同様の効果を得ることができる。また、記録テープカートリッジ９０では、ケース１２とは別部材の保持部材９２を用いることで、該保持構造に対する制約が少なく、セキュリティタグ７０を確りとケース１２に対し保持することができる。このため、セキュリティタグ７０によるケース１２外部との通信が安定する。さらに、ケース１２とは別部材の保持部材９２を用いることで、上ケース１４、下ケース１６に変更を加えることなく、全長が長いセキュリティタグ７０を内蔵することができる。
【００７３】
なお、第３の実施形態では、セキュリティタグ７０が保持部材９２によって上ケース１４に保持された例を示したが、本発明はこれに限定されず、例えば、保持部材９２に相当する保持部材にて下ケース１６にセキュリティタグ７０が保持されるようにしても良い。
【００７４】
また、第３の実施形態では、保持部材９２によってセキュリティタグ７０がケース１２に保持される例を示したが、本発明はこれに限定されず、例えば、保持部材９２は記録テープカートリッジ９０の組み立て時におけるセキュリティタグ７０の仮保持部材として捉え、袋状突部１９（及び保持リブ７２、７４）と低位部１４ＡＮとで上下から挟み込むことで支持部９２Ｂ及びセキュリティタグ７０を保持する構成としても良い。
【００７５】
なお、上記した各実施形態では、セキュリティタグ７０がケース１２の前左の角隅部１２ＦＬに内蔵された例を示したが、本発明はこれに限定されず、例えば後左の角隅部１２ＢＬや後右の角隅部１２ＢＲ（図３、図４参照）等、配置可能な何れの角隅部にセキュリティタグ７０を配置しても良い。
【符号の説明】
【００７６】
１０      記録テープカートリッジ
１２      ケース
１２ＦＬ  角隅部
１２Ｆ    前壁（周壁における角隅部を成す２辺の一方）
１２Ｌ    左側壁（周壁における角隅部を成す２辺の他方）
１２Ｎ    ノッチ部（凹部、上ケースの構成部分）
１４      上ケース
１４Ａ    天板
１４ＡＮ  低位部
１４Ｂ    外周壁（周壁、上側周壁）
１６      下ケース
１６Ａ    底板
１６Ｂ    外周壁（周壁、上側周壁）
１９      袋状突部（凸部）
１９Ａ    基準孔
２０      リール
３２      リールエリアリブ（内壁）
７０      セキュリティタグ
７２・７４       保持リブ（下ケースの構成部分）
８０・９０       記録テープカートリッジ
８２      保持部（下ケースの構成部分）
９２      保持部材
ＰＬ      パーティングライン（突き当て部）
Ｔ        磁気テープ（記録テープ）
【図１】
0005430455.tif 000002
【図２】
0005430455.tif 000003
【図３】
0005430455.tif 000004
【図４】
0005430455.tif 000005
【図５】
0005430455.tif 000006
【図６】
0005430455.tif 000007
【図７】
0005430455.tif 000008
【図８】
0005430455.tif 000009
【図９】
0005430455.tif 000010
【図１０】
0005430455.tif 000011